(57)【特許請求の範囲】
【請求項１】
本体生地と、
前記本体生地の外縁から内側に向かって一筋に延びるとともに前記本体生地に第１側縁及び第２側縁を形成する切り込みと、
前記第１側縁に沿って前記本体生地に縫製される下短冊と、
前記第２側縁に沿って前記本体生地に縫製される上短冊と、を備え、
前記下短冊は、前記本体生地の表面に重ね合わせられる表側片と、折り目に沿って前記表側片から折り返されて前記本体生地の裏面に重ね合わせられる裏側片と、を備え、
前記下短冊の折り目を前記切り込みの第１側縁に一致させた状態において、前記切り込みの内端から前記切り込みに交差しつつ延びる前記表側片の内縁は、前記本体生地の平面視において、前記切り込みの内端から前記切り込みに交差しつつ延びる前記裏側片の内縁に対してずれて配置されることを特徴とする縫製製品。
【請求項２】
請求項１に記載の縫製製品において、前記内縁を有する前記裏側片の内端部分は、前記切り込みの内端に向かうにつれて先細るテーパ形状を形成することを特徴とする縫製製品。
【請求項３】
請求項１又は２に記載の縫製製品において、
前記表側片の内縁は、前記切り込みに沿った方向において、前記切り込みの内端よりも内側から前記切り込みの内端まで前記切り込みに対して傾斜しつつ直線的に延び、
前記裏側片の内縁は、前記切り込みに沿った方向において、前記切り込みの内端よりも外側から前記切り込みの内端まで前記切り込みに対して傾斜しつつ直線的に延びることを特徴とする縫製製品。
【請求項４】
請求項１〜３のいずれか１項に記載の縫製製品において、
前記上短冊は、前記本体生地の表面に重ね合わせられる表側片と、前記本体生地の裏面に重ね合わせられる裏側片と、を備え、
前記切り込みに沿った方向に規定される内縁を有する前記上短冊の裏側片の内端部分は、前記本体生地の裏面において、前記切り込みの内端に向かうにつれて先細るテーパ形状を形成することを特徴とする縫製製品。
【請求項５】
請求項４に記載の縫製製品において、前記上短冊の裏側片の内縁は、前記切り込みに沿った方向において、前記切り込みの内端よりも外側から前記切り込みの内端を越えて前記切り込みの内端よりも内側まで、前記切り込みに対して傾斜しつつ直線的に延びることを特徴とする縫製製品。
【請求項６】
請求項４又は５に記載の縫製製品の製造方法において、前記下短冊の表側片の内縁は、前記本体生地の表面において、前記上短冊の裏側片の内縁に一致することを特徴とする縫製製品の製造方法。
【請求項７】
請求項１〜６のいずれか１項に記載の縫製製品において、前記切り込みの内端で前記本体生地に施される菊穴をさらに備えることを特徴とする縫製製品。
【請求項８】
本体生地の外縁から内側に向かって一筋に延びるとともに前記本体生地に第１側縁及び第２側縁を形成する切り込みが形成された本体生地を用意する工程と、
前記第１側縁に沿って前記本体生地に下短冊を縫製する工程と、
前記第２側縁に沿って前記本体生地に上短冊を縫製する工程と、を備え、
前記下短冊は、前記本体生地の表面に重ね合わせられる表側片と、折り目に沿って前記表側片から折り返されて前記本体生地の裏面に重ね合わせられる裏側片と、を備え、
前記下短冊の折り目を前記切り込みの第１側縁に一致させた状態において、前記切り込みの内端から前記切り込みに交差しつつ延びる前記表側片の内縁は、前記本体生地の平面視において、前記切り込みの内端から前記切り込みに交差しつつ延びる前記裏側片の内縁に対してずれて配置されることを特徴とする縫製製品の製造方法。
【請求項９】
請求項８に記載の縫製製品の製造方法において、前記内縁を有する前記裏側片の内端部分は、前記切り込みの内端に向かうにつれて先細るテーパ形状を形成することを特徴とする縫製製品の製造方法。
【請求項１０】
請求項８又は９に記載の縫製製品の製造方法において、
前記表側片の内縁は、前記切り込みに沿った方向において、前記切り込みの内端よりも内側から前記切り込みの内端まで前記切り込みに対して傾斜しつつ直線的に延び、
前記裏側片の内縁は、前記切り込みに沿った方向において、前記切り込みの内端よりも外側から前記切り込みの内端まで前記切り込みに対して傾斜しつつ直線的に延びることを特徴とする縫製製品の製造方法。
【請求項１１】
請求項８〜１０のいずれか１項に記載の縫製製品の製造方法において、
前記上短冊は、前記本体生地の表面に重ね合わせられる表側片と、前記本体生地の裏面に重ね合わせられる裏側片と、を備え、
前記切り込みに沿った方向に規定される内縁を有する前記上短冊の裏側片の内端部分は、前記本体生地の裏面において、前記切り込みの内端に向かうにつれて先細るテーパ形状を形成することを特徴とする縫製製品の製造方法。
【請求項１２】
請求項１１に記載の縫製製品の製造方法において、前記上短冊の裏側片の内縁は、前記切り込みに沿った方向において、前記切り込みの内端よりも外側から前記切り込みの内端を越えて前記切り込みの内端よりも内側まで、前記切り込みに対して傾斜しつつ直線的に延びることを特徴とする縫製製品の製造方法。
【請求項１３】
請求項１１又は１２に記載の縫製製品の製造方法において、前記下短冊の表側片の内縁は、前記本体生地の表面において、前記上短冊の裏側片の内縁に一致することを特徴とする縫製製品の製造方法。
【請求項１４】
請求項８〜１３のいずれか１項に記載の縫製製品の製造方法において、前記本体生地への前記下短冊の縫製に先だって、前記切り込みの内端に菊穴を形成する工程をさらに備えることを特徴とする縫製製品の製造方法。
【請求項１５】
本体生地と、
前記本体生地の外縁から内側に向かって一筋に延びるとともに前記本体生地に第１側縁及び第２側縁を形成する切り込みと、
前記第１側縁に沿って前記本体生地に縫製される下短冊と、
前記第２側縁に沿って前記本体生地に縫製される上短冊と、を備え、
前記下短冊は、前記本体生地の表面に重ね合わせられる表側片と、折り目に沿って前記表側片から折り返されて前記本体生地の裏面に重ね合わせられる裏側片と、を備え、
前記下短冊の折り目を前記切り込みの第１側縁に一致させた状態において、前記切り込みの内端から前記切り込みに交差しつつ延びる前記表側片の内縁は、前記本体生地の平面視において、前記切り込みの内端から前記切り込みに交差しつつ延びる前記裏側片の内縁に対してずれて配置されることを特徴とする剣ボロ。
【請求項１６】
本体生地の外縁から内側に向かって一筋に延びるとともに前記本体生地に第１側縁及び第２側縁を形成する切り込みが形成された本体生地を用意する工程と、
前記第１側縁に沿って前記本体生地に下短冊を縫製する工程と、
前記第２側縁に沿って前記本体生地に上短冊を縫製する工程と、を備え、
前記下短冊は、前記本体生地の表面に重ね合わせられる表側片と、折り目に沿って前記表側片から折り返されて前記本体生地の裏面に重ね合わせられる裏側片と、を備え、
前記下短冊の折り目を前記切り込みの第１側縁に一致させた状態において、前記切り込みの内端から前記切り込みに交差しつつ延びる前記表側片の内縁は、前記本体生地の平面視において、前記切り込みの内端から前記切り込みに交差しつつ延びる前記裏側片の内縁に対してずれて配置されることを特徴とする剣ボロの製造方法。
【発明の詳細な説明】
【技術分野】
【０００１】
本発明は、縫製製品及びその製造方法に関する。
【背景技術】
【０００２】
特許文献１に開示されるように、シャツなどの縫製製品の袖口にはいわゆる剣ボロが形成されている。剣ボロは、袖口の生地に形成された切り込みに取り付けられる剣状の上側布片及び下側布片を備える。特許文献１の図１や図３から明らかなように、切り込みの方向に規定される下側布片の表側部分の内縁及び裏側部分の内縁は、生地の平面視において、同一の位置に重なっている。
【先行技術文献】
【特許文献】
【０００３】
【特許文献１】特開平１０−２０４７０１号公報
【発明の概要】
【発明が解決しようとする課題】
【０００４】
重なり部分では、下側布片の表側部分の内縁及び裏側部分の内縁で折りしろ部分が折り返されることがあり、下側布片の内縁において、生地厚の増大によって大きな段差が形成されてしまう。この段差は、下側布片の縫製に歪みを生じさせたり、下側布片を変形させたりして、見映えを悪化させる。しかも、下側布片の表側部分及び裏側部分が重なっている部分は、生地が硬くなってしまって、シャツの着心地を不快なものにする。
【０００５】
本発明は、上記課題に鑑みてなされたものであって、高い精度で簡単に縫製することができるとともに柔らかく仕上げることができる縫製製品及びその製造方法を提供することを目的とする。
【課題を解決するための手段】
【０００６】
上記目的を達成するため、本発明によれば、
本体生地と、
前記本体生地の外縁から内側に向かって一筋に延びるとともに前記本体生地に第１側縁及び第２側縁を形成する切り込みと、
前記第１側縁に沿って前記本体生地に縫製される下短冊と、
前記第２側縁に沿って前記本体生地に縫製される上短冊と、を備え、
前記下短冊は、前記本体生地の表面に重ね合わせられる表側片と、前記本体生地の裏面に重ね合わせられる裏側片と、を備え、
前記切り込みに沿った方向に規定される前記表側片の内縁は、前記本体生地の平面視において、前記切り込みに沿った方向に規定される前記裏側片の内縁に対してずれて配置される縫製製品が提供される。
【０００７】
こうした縫製製品によれば、切り込みに沿った方向に規定される下短冊の表側片の内縁は、本体生地の平面視において、下短冊の裏側片の内縁に対してずれて配置されるので、表側片及び裏側片によって形成される段差の大きさを従来に比べて縮小することができる。その結果、本体生地に対して下短冊を高い精度で簡単に縫製することができるとともに、縫製時の下短冊の変形を抑制することができる。しかも、表側片及び裏側片の内縁同士の重なりを回避することができるので、柔らかく仕上げた縫製製品を提供することができる。
【０００８】
また、本発明に係る縫製製品では、前記内縁を有する前記裏側片の内端部分は、前記切り込みの内端に向かうにつれて先細るテーパ形状を形成することが好ましい。
【０００９】
また、本発明に係る縫製製品では、
前記表側片の内縁は、前記切り込みに沿った方向において、前記切り込みの内端よりも内側から前記切り込みの内端まで前記切り込みに対して傾斜しつつ直線的に延び、
前記裏側片の内縁は、前記切り込みに沿った方向において、前記切り込みの内端よりも外側から前記切り込みの内端まで前記切り込みに対して傾斜しつつ直線的に延びることが好ましい。
【００１０】
また、本発明に係る縫製製品では、
前記上短冊は、前記本体生地の表面に重ね合わせられる表側片と、前記本体生地の裏面に重ね合わせられる裏側片と、を備え、
前記切り込みに沿った方向に規定される内縁を有する前記上短冊の裏側片の内端部分は、前記本体生地の裏面において、前記切り込みの内端に向かうにつれて先細るテーパ形状を形成することが好ましい。
【００１１】
また、本発明に係る縫製製品では、前記上短冊の裏側片の内縁は、前記切り込みに沿った方向において、前記切り込みの内端よりも外側から前記切り込みの内端を越えて前記切り込みの内端よりも内側まで、前記切り込みに対して傾斜しつつ直線的に延びることが好ましい。
【００１２】
また、本発明に係る縫製製品では、前記下短冊の表側片の内縁は、前記本体生地の表面において、前記上短冊の裏側片の内縁に一致することが好ましい。
【００１３】
また、本発明に係る縫製製品では、前記切り込みの内端で前記本体生地に施される菊穴をさらに備えることが好ましい。こうした菊穴によれば、切り込みの内端で本体生地を補強することができるとともに縫製製品の見映えを向上させることができる。
【００１４】
さらに、本発明によれば、
本体生地の外縁から内側に向かって一筋に延びるとともに前記本体生地に第１側縁及び第２側縁を形成する切り込みが形成された本体生地を用意する工程と、
前記第１側縁に沿って前記本体生地に下短冊を縫製する工程と、
前記第２側縁に沿って前記本体生地に上短冊を縫製する工程と、を備え、
前記下短冊は、前記本体生地の表面に重ね合わせられる表側片と、前記本体生地の裏面に重ね合わせられる裏側片と、を備え、
前記切り込みに沿った方向に規定される前記表側片の内縁は、前記本体生地の平面視において、前記切り込みに沿った方向に規定される前記裏側片の内縁に対してずれて配置される縫製製品の製造方法が提供される。
【００１５】
さらにまた、本発明によれば、
本体生地と、
前記本体生地の外縁から内側に向かって一筋に延びるとともに前記本体生地に第１側縁及び第２側縁を形成する切り込みと、
前記第１側縁に沿って前記本体生地に縫製される下短冊と、
前記第２側縁に沿って前記本体生地に縫製される上短冊と、を備え、
前記下短冊は、前記本体生地の表面に重ね合わせられる表側片と、前記本体生地の裏面に重ね合わせられる裏側片と、を備え、
前記切り込みに沿った方向に規定される前記表側片の内縁は、前記本体生地の平面視において、前記切り込みに沿った方向に規定される前記裏側片の内縁に対してずれて配置される剣ボロが提供される。
【００１６】
さらにまた、本発明によれば、
本体生地の外縁から内側に向かって一筋に延びるとともに前記本体生地に第１側縁及び第２側縁を形成する切り込みが形成された本体生地を用意する工程と、
前記第１側縁に沿って前記本体生地に下短冊を縫製する工程と、
前記第２側縁に沿って前記本体生地に上短冊を縫製する工程と、を備え、
前記下短冊は、前記本体生地の表面に重ね合わせられる表側片と、前記本体生地の裏面に重ね合わせられる裏側片と、を備え、
前記切り込みに沿った方向に規定される前記表側片の内縁は、前記本体生地の平面視において、前記切り込みに沿った方向に規定される前記裏側片の内縁に対してずれて配置される剣ボロの製造方法が提供される。
【発明の効果】
【００１７】
以上のように、本発明によれば、高い精度で簡単に縫製することができるとともに柔らかく仕上げることができる縫製製品及びその製造方法を提供することができる。
【図面の簡単な説明】
【００１８】
【図１】本発明の一実施形態に係る縫製製品を概略的に示す正面図である。
【図２】本発明の一実施形態に係る縫製製品を概略的に示す背面図である。
【図３】本発明の一実施形態に係る剣ボロの構造を概略的に示す正面図である。
【図４】本発明の一実施形態に係る剣ボロの構造を概略的に示す背面図である。
【図５】上短冊及び下短冊を形成する生地片を概略的に示す正面図である。
【図６】生地片を折り畳んで形成した上短冊及び下短冊を概略的に示す正面図である。
【図７】本体生地に切り込み及び菊穴を形成する工程を概略的に示す図である。
【図８】本体生地に下短冊を縫製する工程を概略的に示す図である。
【図９】本体生地に下短冊を縫製する工程を概略的に示す図である。
【図１０】本体生地に上短冊を縫製する工程を概略的に示す図である。
【図１１】本体生地に上短冊を縫製する工程を概略的に示す図である。
【発明を実施するための形態】
【００１９】
以下、添付図面を参照しながら本発明の一実施形態について説明する。図１は、本発明の一実施形態に係る縫製製品すなわち被服の一形態であるシャツ１１を概略的に示す正面図であり、図２は、シャツ１１を概略的に示す背面図である。図１及び図２に示すように、このシャツ１１は、例えば、右前身頃１２Ｒと、左前身頃１２Ｌと、後ろ身頃１３と、肩ヨーク１４と、右袖１５Ｒと、左袖１５Ｌと、を備えており、これらのパーツが相互に縫い合わされてシャツ１１が形成されている。
【００２０】
シャツ１１は、右及び左前身頃１２Ｒ、１２Ｌと肩ヨーク１４とに縫い付けられる襟台１６と、この襟台１６に縫い付けられる襟１７と、例えば左前身頃１２Ｌの側縁に縫い付けられる前立て１８と、右袖１５Ｒ及び左袖１５Ｌの各袖口に縫い付けられるカフス１９、１９と、をさらに備えている。またさらに、シャツ１１は、カフス１９よりも内側で、右袖１５Ｒ及び左袖１５Ｌの袖口にそれぞれ形成される剣ボロ２１を備えている。
【００２１】
図３は、本発明の一実施形態に係る剣ボロ２１の構造を概略的に示す正面図である。図３では、カフス１９の図示を省略している一方で、本体生地２２の表面側を示している。剣ボロ２１は、右袖１５Ｒ及び左袖１５Ｌのいずれかを構成する本体生地２２に縫製された上短冊２３及び下短冊２４を備えている。本体生地２２には、上短冊２３及び下短冊２４の間で、本体生地２２の外縁２２ａから本体生地２２の内側に向かって延びる切り込み２２ｂが形成される。下短冊２４の表面側にはボタン２５が取り付けられており、このボタン２５は、上短冊２３の対応の位置に形成されたボタンホール２６に留められている。なお、図３では、上短冊２３の外端部分を少しめくりあげた状態を示している。
【００２２】
図３から明らかなように、上短冊２３は、本体生地２２の外縁２２ａから内側に向かってほぼ等幅で延びる表側片２３ａを備える。表側片２３ａは本体生地２２の表面に重ね合わせられる。切り込み２２ｂに沿った方向に規定される表側片２３ａの内端部分Ｉ１は、本体生地２２の内側に向かうにつれて先細る三角形の剣先形状に形成されている。すなわち、内端部分Ｉ１の内縁Ｅ１は相互に交差する２辺から形成される。下短冊２３の縫製箇所は、表側片２３ａの輪郭に沿って延びる第１〜第４直線部２７ａ〜２７ｄと、第４及び第１直線部２７ｄ、２７ａの間で延びるとともに剣ボロ２１の開き止めを形成する相互に平行な２本の開き止め部２７ｅ及び２７ｆと、から構成される。
【００２３】
その一方で、下短冊２４は、本体生地２２の外縁から内側に向かってほぼ等幅で延びる表側片２４ａを備える。表側片２４ａは本体生地２２の表面に重ね合わせられる。下短冊２４の縫製箇所は、表側片２４ａの輪郭に沿って表側片２４ａの外縁から内縁に向かって延びる直線部２８のみから構成される。直線部２８は、上短冊２３の第１直線部２７ａに平行に延びる。直線部２８の詳細については後述する。下短冊２４は、ボタン２５がボタンホール２６に留められた状態では、上短冊２３によって完全に覆われる。
【００２４】
図４は、本発明の一実施形態に係る剣ボロ２１の構造を概略的に示す背面図である。図４では、カフス１９の図示を省略している一方で、本体生地２２の裏面側を示している。図４に示すように、上短冊２３は、本体生地２２の裏面に重ね合わせられる裏側片２３ｂをさらに備えている。裏側片２３ｂは表側片２３ａと一体化した１枚の生地片から形成される。この生地片の詳細については後述する。切り込み２２ｂに沿った方向に規定される裏側片２３ｂの内端部分Ｉ２の内縁Ｅ２は、切り込み２２ｂの内端２９よりも外側から内端２９に向かって切り込み２２ｂに対して傾斜しつつ直線的に延びる第１辺３１によって規定される。裏側片２３ｂは、前述の第１直線部２７ａや開き止め部２７ｅ、２７ｆによって本体生地２２の裏面に縫い付けられる。
【００２５】
その一方で、下短冊２４は、本体生地２２の裏面に縫い付けられる裏側片２４ｂをさらに備えている。裏側片２４ｂは表側片２４ａと一体化した１枚の生地片から形成される。この生地片の詳細については後述する。切り込み２２ｂに沿った方向に規定される裏側片２４ｂのｉ２の内縁ｅ２は、切り込み２２ｂの内端２９よりも外側から内端２９に向かって切り込み２２ｂに対して傾斜しつつ直線的に延びる第２辺３２によって規定される。裏側片２４ｂは、前述の直線部２８によって本体生地２２の裏面に縫い付けられる。図４から明らかなように、本実施形態では、切り込み２２ｂは下短冊２４の側縁に一致する。
【００２６】
第１辺３１が切り込み２２ｂに角度αで交差する一方で、第２辺３２は切り込み２２ｂに角度βで交差する。第１辺３１及び第２辺３２は切り込み２２ｂの内端２９上で交わる。本実施形態では、角度α及びβは鋭角で同一の角度に設定される。従って、第１辺３１及び第２辺３２は、本体生地２２の平面視において、切り込み２２ｂに対して線対称に規定される。こうして上短冊２３の裏側片２３ｂの内端部分Ｉ２及び下短冊２４の裏側片２４ｂの内端部分ｉ２はそれぞれ、切り込み２２ｂの内端２９に向かうにつれて先細るテーパ形状を形成する。本実施形態では、裏側片２３ｂ、２４ｂの内端部分Ｉ２、ｉ２は三角形の剣先形状に形成されている。
【００２７】
本体生地２２には、切り込み２２ｂの内端２９に菊穴３３の飾りが形成される。菊穴３３は切り込み２２ｂの内端２９周りに環状に広がる。この菊穴３３の一部は、上短冊２３の裏側片２３ｂ及び下短冊２４の裏側片２４ｂによって覆われている。本実施形態では、菊穴３３内には本体生地２２を貫通する実際の穴は形成されておらず、糸のみで菊穴３３の飾りが施されている。菊穴３３内には切り込み２２ｂが部分的に進入しており、切り込み２２ｂによって菊穴３３は分断される。この菊穴３３に使用される糸の色は、本体生地２２の色と一致させてもよく又は相違させてもよい。
【００２８】
次に、剣ボロ２１の製造方法について説明する。まず、図５に示すように、上短冊２３を形成するための生地片３４と、下短冊２４を形成するための生地布３５と、を用意する。図５では生地片３４、３５の表面側を図示している。上短冊２３用の生地片３４は、前述の表側片２３ａ及び裏側片２３ｂと、表側片２３ａの一方の側縁及び内縁Ｅ１並びに裏側片２３ｂの一方の側縁及び内縁Ｅ２に形成される４つの折りしろ部分３６ａ〜３６ｄと、を備える。表側片２３ａの他方の側縁と裏側片２３ｂの他方の側縁とは相互に一致しており、この側縁同士の境界線上に折り目３７が規定される。
【００２９】
表側片２３ａの内端部分Ｉ１は、前述したように、表側片２３ａの内端に向かうにつれて先細る剣先形状に形成される。図５から明らかなように、表側片２３ａの内縁Ｅ１の一部を規定する辺３８と、裏側片２３ｂの内縁Ｅ２を規定する辺３９とが一直線上に規定される。この辺３９の一部が前述の第１辺３１に一致する。辺３８、３９は折り目３７に対して前述の角度αで交差する。折りしろ部分３６ａ〜３６ｄをそれぞれ折り返した後、折り目３７に沿って裏側片２３ｂを折り返すと、図６に示すように、上短冊２３が形成される。この形成にあたって上短冊２３にはアイロンがけが実施される。図６では上短冊２３及び下短冊２４の裏面側を図示している。
【００３０】
その一方で、再び図５に戻ると、下短冊２４を形成するための生地片３５は、前述の表側片２４ａ及び裏側片２４ｂと、表側片２４ａの一方の側縁及び内縁ｅ１並びに裏側片２４ｂの他方の側縁及び内縁ｅ２に形成される３つの折りしろ部分４１ａ〜４１ｃと、を備えている。表側片２４ａの他方の側縁と裏側片２４ｂの他方の側縁とは相互に一致しており、この側縁同士の境界線上に折り目４２が規定される。
【００３１】
表側片２４ａの内縁ｅ１を規定する辺４３と、裏側片２４ｂの内縁ｅ２を規定する辺４４とは、折り目４２に対して傾斜しつつ一直線上に規定される。この辺４４が前述の第２辺３２に一致する。辺４３、４４は折り目４２に対して前述の角度βで交差する。折りしろ部分４１ａ〜４１ｃをそれぞれ折り返した後、折り目４２に沿って裏側片２４ｂを折り返すと、図６に示すように、下短冊２４が形成される。この形成にあたって下短冊２４にはアイロンがけが実施される。
【００３２】
次に、右袖１５Ｒ又は左袖１５Ｌを構成する本体生地２２を用意し、本体生地２２の所定の位置に例えばミシン加工によって菊穴３３の飾りを施す。その後、図７に示すように、本体生地２２の外縁から菊穴３３に向かって一筋に延びる切り込み２２ｂを形成する。なお、図７は本体生地２２の表面を概略的に示している。切り込み２２ｂは、その内端２９が菊穴３３の中心まで延びる程度に形成される。こうして切り込み２２ｂによって本体生地２２には、切り欠き２２ａに沿って相互に対向する第１側縁５１及び第２側縁５２が形成される。
【００３３】
続いて、図８に示すように、切り込み２２ｂの第１側縁５１に下短冊２４の折り目４２を一致させて、切り込み２２ｂに対して下短冊２４を位置決めする。このとき、折り目４２上で下短冊２４の内縁ｅ１、ｅ２の境界位置が切り込み２２ｂの内端２９に突き当てられる。折り目４２に沿って矢印の方向に表側片２４ａを折り返すと、図９に示すように、下短冊２４の表側片２４ａが本体生地２２の表面に重ね合わせられる一方、裏側片２４ｂは本体生地２２の裏面に重ね合わせられ、表側片２４ａ及び裏側片２４ｂによって本体生地２２が挟み込まれる。この状態で、図９において点線Ｄ１で示すように、下短冊２４は、表側片２４ａの内縁から切り込み２２ｂに平行に表側片２４ａの外端部分の外縁まで矢印の方向に縫製される。
【００３４】
前述したように、辺４３、４４は一直線上にあるとともに鋭角の角度βで切り込み２２ｂに交差することから、図９から明らかなように、表側片２４ａの内縁ｅ１の位置と裏側片２４ｂの内縁ｅ２の位置とが本体生地２２の表面及び裏面でずれて配置される。その結果、表側片２４ａの内縁ｅ１の位置と裏側片２４ｂの内縁ｅ２の位置とが重なる場合に比べて、縫製の方向に生地の厚みによる段差の大きさが縮小される。従って、下短冊２４の縫製にあたって、縫製が点線Ｄ１に沿って容易に進むので、縫製に歪みが生じにくい。下短冊２４には変形が加えられにくいので、下短冊２４を高い精度で簡単に本体生地２２に縫製することができる。
【００３５】
続いて、図１０に示すように、切り込み２２ｂの第２側縁５２に上短冊２３の折り目３７を平行に配置して、切り込み２２ｂに対して上短冊２３を位置決めする。このとき、上短冊２３の内縁Ｅ２が切り込み２２ｂの内端２９に突き当てられるものの、上短冊２３の折り目３７は第２側縁５２に一致しない。その一方で、折り目３７は下短冊２４の表側片２４ａの側縁に一致する。さらにこのとき、上短冊２３の裏側片２３ｂの内縁Ｅ２を下短冊２４の表側片２４ａの内縁ｅ１に一致させる。すなわち、下短冊２４の表側片２４ａの内縁ｅ１と表側片２４ａの側縁との角部に、上短冊２３の裏側片２３ｂの内縁Ｅ２と折り目３７との角部を一致させることによって、切り込み２２ｂに対して上短冊２３を極めて容易に位置決めすることができる。
【００３６】
続いて、図１１に示すように、上短冊２３の表側片２３ａが本体生地２２の表面に重ね合わせられる一方、裏側片２３ｂは本体生地２２の裏面に重ね合わせられ、表側片２３ａ及び裏側片２３ｂによって本体生地２２が挟み込まれる。この状態で、図１１において点線Ｄ２で示すように、表側片２３ａの外縁から第２側縁５２に平行に表側片２３ａの内縁Ｅ１まで縫製される。縫製は、表側片２３ａの一方の側縁に沿って表側片２３ａの内縁までなされた後、表側片２３ａの内縁Ｅ１の剣先形状の部分に沿って表側片２３ａの他方の側縁までなされる。その後、縫製は、開き止めの位置で他方の側縁から一方の側縁まで１往復する。こうして本体生地２２に剣ボロ２１が形成される。
【００３７】
その後、剣ボロ２１にはアイロンがけが実施され、上短冊２３の所定の位置にボタンホール２６が形成される一方で、ボタンホール２６に対応する位置で下短冊２４にボタン２５が縫い付けられる。続いて、右袖１５Ｒ及び左袖１５Ｌの各袖口にはカフス１９が縫い付けられる。その後、右袖１５Ｒや左袖１５Ｌ、右前身頃１２Ｒ、左前身頃１２Ｌ、後ろ身頃１３、肩ヨーク１４、襟台１６、襟１７、前立て１８などが相互に縫い合わせられて縫製製品すなわちシャツ１１が完成する。
【００３８】
以上のようなシャツ１１の剣ボロ２１によれば、切り込み２２ｂに沿った方向に規定される下短冊２４の表側片２４ａの内縁ｅ１は、本体生地２２の平面視において、下短冊２４の裏側片２４ｂの内縁ｅ２に対してずれて配置されるので、表側片２３及び裏側片２４によって形成される段差の大きさを従来に比べて縮小することができる。その結果、本体生地２２に対して下短冊２４を高い精度で簡単に縫製することができるとともに、縫製時の下短冊２４の変形を抑制することができる。しかも、表側片２３及び裏側片２４の局所的な重なりを回避することができるので、柔らかく仕上げたシャツ１１を提供することができる。
【００３９】
しかも、上短冊２３の縫製にあたって、上短冊２３の裏側片２３ｂの内縁Ｅ２を下短冊２４の表側片２４ａの内縁ｅ１に一致させることによって、切り込み２２ｂに対して上短冊２３を極めて容易に位置決めすることができる。またさらに、上短冊２３の裏側片２３ｂの内縁Ｅ２と、下短冊２４の裏側片２４ｂの内縁ｅ２とが、本体生地２２の裏面側で、三角形の剣先形状に形成されているので、シャツ１１の着用者が袖口をまくった時の剣ボロ２１の裏面側の見映えを向上させることができる。
【００４０】
加えて、切れ込み２２ａの内端２９に菊穴３３を形成することによって、切れ込み２２ａを補強することができる。また、菊穴３３を形成する糸の色を本体生地２２の色に対して適宜配色することによって、菊穴３３をデザイン上のワンポイントとして活かすことができる。この菊穴３３は、本体生地２２の表面側で上短冊２３に覆われているので、シャツ１１の着用者が袖口をまくった時にしか見ることができない。従って、シャツ１１のファッション性を高めることができるとともにシャツ１１の希少性を向上させることができる。
【符号の説明】
【００４１】
１１    縫製製品
２１    剣ボロ
２２    本体生地
３３    菊穴
２２ａ    本体生地の外縁
２２ｂ    切り込み
２３    上短冊
２３ａ    表側片
２３ｂ    裏側片
２４    下短冊
２４ａ    表側片
２４ｂ    裏側片
５１    第１側縁
５２    第２側縁
Ｉ１    上短冊の表側片の内端部分
Ｉ２    上短冊の裏側片の内端部分
Ｅ１    上短冊の表側片の内縁
Ｅ２    上短冊の裏側片の内縁
ｉ１    下短冊の表側片の内端部分
ｉ２    下短冊の裏側片の内端部分
ｅ１    下短冊の表側片の内縁
ｅ２    下短冊の裏側片の内縁
【図１】
0005511908.tif 000002
【図２】
0005511908.tif 000003
【図３】
0005511908.tif 000004
【図４】
0005511908.tif 000005
【図５】
0005511908.tif 000006
【図６】
0005511908.tif 000007
【図７】
0005511908.tif 000008
【図８】
0005511908.tif 000009
【図９】
0005511908.tif 000010
【図１０】
0005511908.tif 000011
【図１１】
0005511908.tif 000012